(57)【要約】【課題】熱により変形する素材でできた装飾品を封入可能な透明状のガラス製の液体用容器を提供する。【解決手段】液体容器は、透明状のガラス製の液体収容部材２と、装飾品固定部材３とからなる。  液体収容部材２は、有底筒状の容器であって、底部の中央部から容器の上部に向かう空洞部４を設けると共に、この空洞部４の下部に突起５を設けたものである。  装飾品固定部材３は、底部にフランジ６を有する台状の部材であって、本体部分の外径が空洞部４の突起５の内周部分より小であり、かつフランジ６の外周が突起５の内周部分より大であり、かつ上面及び／又は外壁に装飾品８を固定したものである。  この装飾品固定部材３を空洞部４に挿入して、フランジ６を突起５に係合し、この係合部分を接着剤で接着する。【選択図】図１
0003130551.tif 000002
【実用新案登録請求の範囲】
【請求項１】
透明状のガラス製の液体収容部材と、装飾品固定部材とからなり、
液体収容部材は、有底筒状の容器であって、底部の中央部から容器の上部に向かう空洞部を設けると共に、この空洞部の下部に突起を設けたものであり、
装飾品固定部材は、底部にフランジを有する台状の部材であって、本体部分の外径が空洞部の突起の内周部分より小であり、かつフランジの外周が突起の内周部分より大であり、かつ上面及び／又は外壁に装飾品を固定したものであり、
この装飾品固定部材を液体収容部材の空洞部に挿入して、上記フランジを突起に係合し、この係合部分を接着剤で接着してなる液体用容器。
【請求項２】
透明状のガラス製の液体収容部材と、装飾品固定部材とからなり、
液体収容部材は、有底筒状の容器であって、底部の中央部から容器の上部に向かう空洞部を設け、この空洞部は下端部とその上方に連なる収容部とからなり、下端部を収容部より大径にして両者の境界に段差部を形成し、
装飾品固定部材は、底部にフランジを有する台状の部材であって、本体部分の外径が収容部の内周より小であり、かつフランジの外周が収容部の内周より大であり、かつ上面及び／又は外壁に装飾品を固定したものであり、
この装飾品固定部材を液体収容部材の空洞部に挿入して、上記フランジを段差部に係合し、この係合部分を接着剤で接着してなる液体用容器。
【請求項３】
前記装飾品固定部材が、透明状のガラス製であることを特徴とする請求項１又は２に記載の液体用容器。
【考案の詳細な説明】
【技術分野】
【０００１】
本考案は、有底筒状（円筒状、角筒状、及びボトル状を含む）の液体収容部材とは別に、カードなどの装飾品を収容する部材を有する透明状のガラス製の液体用容器に関する。
【背景技術】
【０００２】
従来、ガラス製の透明状（透明又は半透明）の液体用容器を多重構造とし、液体収容部材とは別に、装飾品を配した部材（装飾品固定部材）を有するものがある（特許文献１）。
【０００３】
この液体用容器は、液体収容部材に液体を入れることによる屈折率の変化により、封入した装飾品が大きく見えたり、液体の色により装飾品の表情が変わる等、装飾的な効果が大である。
しかし、液体収容部材と装飾品固定部材は、接合部を加熱溶融して一体にするので、ガラスは熱伝導性が良くないといっても、熱により燃えたり、変形したりする素材でできた装飾品は、この部分にまで熱が伝わるので封入できなかった。
【特許文献１】意匠登録第１２６０８６１号公報
【考案の開示】
【考案が解決しようとする課題】
【０００４】
そこで、本考案は、熱により変形する素材でできた装飾品を封入可能なガラス製液体用容器を提供することを目的とする。
【課題を解決するための手段】
【０００５】
上記目的を達成するために本考案のガラス製液体用容器は、透明状のガラス製の液体収容部材と、装飾品固定部材とからなり、
液体収容部材は、有底筒状の容器であって、底部の中央部から容器の上部に向かう空洞部を設けると共に、この空洞部の下部に突起を設けたものであり、
装飾品固定部材は、底部にフランジを有する台状の部材であって、本体部分の外径が空洞部の突起の内周部分より小であり、かつフランジの外周が突起の内周部分より大であり、かつ上面及び／又は外壁に装飾品を固定したものであり、
この装飾品固定部材を液体収容部材の空洞部に挿入して、上記フランジを突起に係合し、この係合部分を接着剤で接着してなる。
あるいは、透明状のガラス製の液体収容部材と、装飾品固定部材とからなり、
液体収容部材は、有底筒状の容器であって、底部の中央部から容器の上部に向かう空洞部を設け、この空洞部は下端部とその上方に連なる収容部とからなり、下端部を収容部より大径にして両者の境界に段差部を形成し、
装飾品固定部材は、底部にフランジを有する台状の部材であって、本体部分の外径が収容部の内周より小であり、かつフランジの外周が収容部の内周より大であり、かつ上面及び／又は外壁に装飾品を固定したものであり、
この装飾品固定部材を液体収容部材の空洞部に挿入して、上記フランジを段差部に係合し、この係合部分を接着剤で接着してなる。
前記装飾品固定部材は、透明状のガラス製であるとよい。
【０００６】
前記有底筒状は、円筒状、角筒状、及びボトル状を含む意味である。また、透明状は、透明又は半透明の意味である。
接着剤は、ガラス同士を固着できる公知のもののいずれであってもよい。
【考案の効果】
【０００７】
本考案は、製造時に装飾品固定部材に載置された装飾品が高熱にさらされないので、紙製など熱に弱い装飾品を封入できる。特に、装飾品を係合部分の近傍に配して封入可能である。
また、簡単な操作で装飾品を封入できるので、容器毎に装飾品を変えるなど少量多種の製造も可能である。
また、請求項３の考案では、装飾品固定部材が、透明状のガラス製であるので、装飾品があたかも宙に浮いているかのように見え、装飾的な効果が大である。
【考案を実施するための最良の形態】
【０００８】
次に本考案の実施の形態について図面を参照して説明する。
図１は液体用容器の正面図であり、液体用容器としてボトルを使用したものである。
ボトル１は、それぞれ透明又は半透明のガラス製の液体収容部材２と装飾品固定部材３からなる。
図２〜４に示すように液体収容部材２は、ボトルと略同形状であり、底面の中央部から液体収容部材の上部に向けて円筒状の空洞部４を形成する。
この空洞部４と液体収容部材２とは、図４の示すように同心円状に配置する。
さらに、この円筒状の空洞部４の下部をくびれさせて、円環状の突起５を形成する。
【０００９】
図５〜７に示すように装飾品固定部材３は、有底円筒状容器を反転した状態の台状のものであり、底部の開口縁部にフランジ６を有する。
装飾品固定部材３の径は前記突起５の内周部より小にすると共に、フランジ６の径を突起５の内周部より大にする。
装飾品固定部材３の内部や外壁には通常装飾を施さないが、必要に応じ適宜装飾を施してもよい。
そして、この装飾品固定部材３の上面７に、カード、写真、民芸品のミニチュアといった装飾品８を、接着剤や両面テープなどを使用し固定する。
装飾品８の材質は、紙、樹脂、陶磁器、ガラスなどのいずれであってもよい。
【００１０】
次に、この装飾品８を上面７に固定した装飾品固定部材３を、前記空洞部４に挿入して、フランジ６を突起５に係合し、この係合部分を接着剤９で固着して、ボトル１が完成する。
【００１１】
ボトル１（液体収容部材２）内には、清酒、ワインなどの透明又は半透明の液体を収容し封をする。
装飾品８の像は、空洞部４の側壁、ボトル１に収容された液体、ボトル１の側壁を介し看者の目に入るので、拡大される。また、液体の量に応じて、看者の目に入る装飾品８の像が変化する。また、ボトル１に赤ワインなどの色の付いた半透明の液体を入れると、装飾品が色付き、装飾的価値が増大する。
【００１２】
次に別の実施形態について説明する。
図８は液体用容器の正面図であり、前記実施形態と同様液体用容器としてボトルを使用する。また、便宜上液体収容部材２の空洞内４にある装飾品固定部材３を実践で表す。
ボトル１は、それぞれ透明又は半透明のガラス製の液体収容部材２と装飾品固定部材３からなる。
液体収容部材２は、ボトルと略同形状であり、底面の中央部から液体収容部材の上部に向けて円筒状の空洞部４を形成する。この円筒状の空洞部４は、下端部１０とその上方に連なる収容部１１とからなり、下端部１０の径を収容部１１の径より大にして、両者の境界部分に段差部１２を形成する。
【００１３】
装飾品固定部材３は、有底円筒状容器を反転した状態の台状のものであり、底部の開口縁部にフランジ６を有する。
装飾品固定部材３の径は前記収容部１１の内周部より小にすると共に、フランジ６の径を突起５の収容部１１より大でかつ下端部１０より小にする。
そして、この装飾品固定部材３に前記実施形態と同様に装飾品８を固定する。
次に、この装飾品固定部材３を、空洞部４に挿入して、フランジ６を段差部１２に係合し、この係合部分を接着剤９で固着して、ボトル１が完成する。
液体収容部材２をブロー成形で形成でき、前記実施形態より製造が簡便である。
【００１４】
前記各実施形態では、装飾品８を装飾品固定部材３の上面に載置したが、装飾品がカードなどの薄いものの場合には、装飾品固定部材３の外壁に接着してもよい（図５）。
また、液体用容器をボトル１にしているが、本考案はこれに限定されるものではなく、内部に液体を収容する透明又は半透明の容器であればよい。
また、空洞部４と装飾品載置部部３を円筒状にしているが、本考案はこれに限るものではなく、空洞部２及び装飾品載置部４を角筒状にしてもよい。
ただし、製造の容易さ及びレンズの作用による像の拡大という点からは、円筒状がよい。
また、装飾品固定部材３は、透明又は半透明のガラス製にしているが、本考案はこれに限るものではなく、不透明のガラス製、あるいはガラス以外で製造したものであってもよい。ただし透明又は半透明のガラス製にすると、装飾品があたかも宙に浮いているかのように見え、装飾的な効果が大である。
また、装飾品固定部材３は底部が開口した部材にしているが、これに限るものではなく、円柱状であってもよい。ただし、底部が開口したものであると、ブロー成形で製造できるという利点がある。
【図面の簡単な説明】
【００１５】
【図１】本考案の液体用容器の正面図である。
【図２】液体収容部材の正面図である。
【図３】図２のＡ−Ａ断面図である。
【図４】図２のＢ−Ｂ断面図である。
【図５】装飾品固定部材の正面図である。
【図６】図５のＡ−Ａ断面図である。
【図７】装飾品固定部材の平面図である。
【図８】別の実施形態の液体用容器の正面図である。
【符号の説明】
【００１６】
２    液体収容部材
３    装飾品固定部材
４    空洞部
５    突起
６    フランジ
８    装飾品
【図１】
0003130551.tif 000003
【図２】
0003130551.tif 000004
【図３】
0003130551.tif 000005
【図４】
0003130551.tif 000006
【図５】
0003130551.tif 000007
【図６】
0003130551.tif 000008
【図７】
0003130551.tif 000009
【図８】
0003130551.tif 000010